(57)【要約】【課題】  電源供給制御が停止する省電力状態を維持しつつ、受信するファクシミリにも正常に応答する。【解決手段】    電源の供給を指示する指示手段と、ファクシミリ通信を行う第１の通信手段と、ネットワーク通信を行う第２の通信手段とを備える画像形成装置において、ジョブ処理可能な通常状態と、当該通常状態よりも省電力状態となる第１省電力状態に遷移させるように第１の通信手段または第２の通信手段に対する電源供給を制御する。その際に、電源から前記電源制御手段に対する電源供給状態と、第１の通信手段が検知するファクシミリの受信状態とから前記指示手段を起動する信号、または前記電源制御手段へ電源供給を再開させる復帰信号を出力する構成を特徴とする。【選択図】  図７
2014225821.tif 000002
【特許請求の範囲】
【請求項１】
電源の供給を指示する指示手段と、
ファクシミリ通信を行う第１の通信手段と、
ネットワーク通信を行う第２の通信手段と、
ジョブ処理可能な通常状態と、当該通常状態よりも省電力状態となる第１省電力状態に遷移させるように前記第１の通信手段または前記第２の通信手段に対する電源供給を制御する電源制御手段と、
前記電源から前記電源制御手段に対する電源供給状態と、前記第１の通信手段が検知するファクシミリの受信状態とから前記指示手段を起動する信号、または前記電源制御手段へ電源供給を再開させる復帰信号を出力する出力手段と、
を備えることを特徴とする画像形成装置。
【請求項２】
前記出力手段は、前記指示手段へ起動信号を出力する場合、前記復帰信号を前記電源制御手段へ出力しないことを特徴とする請求項１記載の画像形成装置。
【請求項３】
前記第１の通信手段がファクシミリの受信したことを検知する検知手段を備えることを特徴とする請求項１記載の画像形成装置。
【請求項４】
前記電源から前記電源制御手段に対する電源供給が停止した場合、第１省電力状態よりもさらに省電力となる第２省電力状態に遷移することを特徴とする請求項１記載の画像形成装置。
【請求項５】
前記第２の通信手段は、前記電源制御手段に対する電源供給が停止した状態で所定のパケットを受信することに応じて、前記指示手段を起動する起動信号を出力することを特徴とすることを特徴とする請求項１記載の画像形成装置。
【請求項６】
前記電源制御手段は、前記指示手段からの指示に基づいて電源を前記第１の通信手段および前記第２の通信手段に供給して、ジョブ処理可能な通常状態へ遷移させることを特徴とする請求項１記載の画像形成装置。
【請求項７】
前記電源制御手段は、前記指示手段からの指示に基づいて電源を前記第１の通信手段および前記第２の通信手段に供給して、ジョブ処理可能な通常状態へ遷移した後、受け付けるジョブ処理を終了したら、ジョブを受け付ける前の電源状態に移行することを特徴とする請求項１記載の画像形成装置。
【請求項８】
前記検知手段は、前記電源制御手段に供給される電源が停止するか否かに応じて、供給を受ける電源供給先を切り替えることを特徴とする請求項３記載の画像形成装置。
【請求項９】
前記電源制御手段に供給される電源が停止した場合、電池から前記検知手段に電源が供給され、省電力状態に遷移した場合、前記電源制御手段から電源が供給されることを特徴とする請求項３記載の画像形成装置。
【請求項１０】
電源の供給を指示する指示手段と、ファクシミリ通信を行う第１の通信手段と、ネットワーク通信を行う第２の通信手段とを備える画像形成装置の制御方法であって、
ジョブ処理可能な通常状態と、当該通常状態よりも省電力状態となる第１省電力状態に遷移させるように前記第１の通信手段または前記第２の通信手段に対する電源供給を電源制御手段が制御する際に、前記電源制御手段に対する電源供給状態と、前記第１の通信手段が検知するファクシミリの受信状態とから前記指示手段を起動する起動信号、または停止した電源制御を再開させる復帰信号を電源制御手段に出力する出力工程を備えることを特徴とする画像形成装置の制御方法。
【請求項１１】
請求項１０に記載の画像形成装置の制御方法をコンピュータに実行させることを特徴とするプログラム。
【発明の詳細な説明】
【技術分野】
【０００１】
本発明は、データ通信を行う画像形成装置、画像形成装置の制御方法、及びプログラムに関するものである。
【背景技術】
【０００２】
従来、データ通信を行う画像形成装置において、電源制御コントローラによって通常電力モードへ復帰可能な複数の省電力モードを持つ機器が提案されている。
特許文献１では、ファクシミリ装置における省電力制御例として、スリープ電力モードと完全省エネモードについて説明されている。
ここで、完全省エネモードとは、電源制御コントローラが起動命令を受信した場合にのみ通常電力モードに復帰するものである。また、スリープ電力モードとは、ＦＡＸ受信を検知した場合にも、電源制御コントローラが復帰命令を出力して、省電力モードから復帰させることが出来るものである。
【先行技術文献】
【特許文献】
【０００３】
【特許文献１】特開２００２−２１８０９９号公報
【発明の概要】
【発明が解決しようとする課題】
【０００４】
しかしながら、前記従来技術では更なる省電力のために、電源制御コントローラの給電までＯＦＦにする省電力モードを設定した場合に、ＦＡＸの受信検知による復帰が出来ず、ＦＡＸ受信が出来なくなってしまう。
ここで、電源制御コントローラへの給電をＯＦＦする省電力モードには、例えば、電源制御コントローラの電源をオフし、ＬＡＮコントローラの電源給電し、特定のパケットで電源投入が可能なリモートオン待機モードが設定される場合もある。
【０００５】
このリモートオン待機モードが設定されている場合、ＦＡＸ受信出来なくなってしまう。このため、ユーザは、意図しないタイミングで画像形成装置がＦＡＸ受信出来なくなってしまうことを理由にリモートオン待機モードが活用できずに、意図しないタイミングでもＦＡＸ受信出来るように電源制御コントローラに電源を供給する。このため、不要な電力消費が発生してしまう可能性がある。
【０００６】
本発明は、上記の課題を解決するためになされたもので、本発明の目的は、電源供給制御が停止する省電力状態を維持しつつ、受信するファクシミリにも正常に応答できる仕組みを提供することである。
【課題を解決するための手段】
【０００７】
上記目的を達成する本発明の画像形成装置は以下に示す構成を備える。
電源の供給を指示する指示手段と、ファクシミリ通信を行う第１の通信手段と、ネットワーク通信を行う第２の通信手段と、ジョブ処理可能な通常状態と、当該通常状態よりも省電力状態となる第１省電力状態に遷移させるように前記第１の通信手段または前記第２の通信手段に対する電源供給を制御する電源制御手段と、前記電源から前記電源制御手段に対する電源供給状態と、前記第１の通信手段が検知するファクシミリの受信状態とから前記指示手段を起動する信号、または前記電源制御手段へ電源供給を再開させる復帰信号を出力する出力手段と、を備えることを特徴とする。
【発明の効果】
【０００８】
本発明によれば、電源供給制御が停止する省電力状態を維持しつつ、受信するファクシミリにも正常に応答できる。
【図面の簡単な説明】
【０００９】
【図１】画像形成装置をネットワークに接続した例を説明する図である。
【図２Ａ】図１に示した画像形成装置のハードウエア構成を示すブロック図である。
【図２Ｂ】図１に示した画像形成装置のハードウエア構成を示すブロック図である。
【図２Ｃ】図１に示した画像形成装置のハードウエア構成を示すブロック図である。
【図３】図２Ａに示したＦＡＸの構成を説明するブロック図である。
【図４】画像形成装置の制御方法を説明するフローチャートである。
【図５】本実施形態を示す画像形成装置のシーケンス例を示す図である。
【図６】本実施形態を示す画像形成装置の構成を説明するブロック図である。
【図７】本実施形態を示す画像形成装置の制御方法を説明するフローチャートである。
【図８】画像形成装置の電源制御シーケンス例を示すタイミングチャートである。
【図９】本実施形態を示す画像形成装置の構成を説明するブロック図である。
【発明を実施するための形態】
【００１０】
次に本発明を実施するための最良の形態について図面を参照して説明する。
＜システム構成の説明＞
〔第１実施形態〕
【００１１】
図１は、本実施形態を示す画像形成装置をネットワークに接続した例を説明する図である。本例に示す画像形成装置１０１は、ネットワーク（ＬＡＮ）２と電話回線１にそれぞれ接続されている。画像形成装置１０１は、ＬＡＮ２を介して情報処理装置（ＰＣ）１０２と接続され、相互に通信可能となっている。ＬＡＮ環境にはサーバや複数のＰＣが接続される環境でももちろん良い。また、画像形成装置１０１は電話回線１を介してＰＣ１０３やＦＡＸ１０４と接続され、相互に通信可能となっている。こちらも、電話やＦＡＸ、画像形成装置などに接続されていても良い。
【００１２】
図２Ａ〜図２Ｃは、図１に示した画像形成装置１０１のハードウエア構成を示すブロック図である。なお、図２Ａは、通常動作時の給電状態を示し、図２Ｂは、図２Ａに示した省電力状態からハードウエアの一部への電源給電が制限された給電状態を示し、図２Ｃは、図２Ｂに示した省電力状態からハードウエアの一部への電源給電がさらに制限された給電状態を示す。図中では、グレー表示で示す。なお、本実施形態では、第１の通信手段としてＦＡＸ２７０を備え、第２の通信手段としてＮＩＣ２３０を備える場合を示す。ここで、第１の通信手段はファクシミリ通信を行い、第２の通信手段がネットワーク通信を行う。
【００１３】
図２Ａ〜図２Ｃにおいて、情報処理部２１０は、ＮＩＣ２３０を介してＬＡＮ２に接続され、ＦＡＸ２７０を介して電話回線１に接続されている。画像形成装置１０１は、通常電力モード（図２Ａに対応する）と、通常電力モードよりも消費電力が小さい省電力モード（図２Ｂに対応する）、リモートオン待機モード（電源オフ（図２Ｃに対応する））にあたる）のいずれかに切り替えて動作することができる。
【００１４】
ＣＰＵ２１１は、ソフトウェアプログラムの実行して情報処理部２１０全体の制御を行う。ＲＡＭ２１４は、ＣＰＵ２１１が装置を制御する際の、一時的なデータの格納などに使用される。ＲＯＭ２１３は、装置の起動プログラムや各種設定値等が格納されている。ＲＡＭ２１４は揮発性メモリで電源の供給が無くなるとデータが失われてしまう可能性があるため、一時的なデータ格納に用いられ、ＲＯＭ２１３は不揮発性メモリであるため、起動プログラムや各種設定値等の格納に用いられる。
【００１５】
ストレージ２１５は、例えばＨＤＤやＳＳＤ（Ｓｏｌｉｄ  Ｓｔａｔｅ  Ｄｒｉｖｅ）であり、様々なデータの格納に使用される。操作部２４０は、操作用液晶パネルやハードキーを備え、ユーザから入力される指示を受け付ける箇所である。操作部Ｉ／Ｆ２１７は、操作部２４０を制御し、操作部２４０から入力される指示をＣＰＵ２１１に伝達する。スキャナ２５０は原稿台またはＡＤＦ（Ａｕｔｏ  Ｄｏｃｕｍｅｎｔ  Ｆｅｅｄｅｒ）に設置された原稿の画像を読み取り、画像データを生成する。スキャナＩ／Ｆ２１８は、スキャナ２５０の制御を行う。プリンタ２６０は、画像データに基づく画像を紙に印刷する。プリンタＩ／Ｆ２１９は、プリンタ２６０の制御を行う。
【００１６】
ＦＡＸ２７０は、モデム２７４、ＣＰＵ２７１、ＲＡＭ２７３、ＲＯＭ２７２、受信検知部２７５で構成される。画像形成装置１０１は、ＦＡＸ２７０を介して、電話回線１の外部装置（ＦＡＸ１０４）とのデータ通信制御を行う。モデム２７４は、ＦＡＸ２７０の送受信のための変調を行う。ＣＰＵ２７１は、ＦＡＸＩ／Ｆ２２０を介して情報処理部２１０と連携してＦＡＸ２７０の送受信の制御を行う。ＲＡＭ２７３は、ＣＰＵ２７１が装置を制御する際に一時的なデータ格納などに使用する。ＲＯＭ２７２は、ＦＡＸ２７０装置の起動プログラムや各種設定値等が格納されている。ＦＡＸ２７０のＣＰＵ２７１とＲＡＭ２７３，ＲＯＭ２７２は、情報処理部２１０に機能を持っても良い。
【００１７】
拡張Ｉ／Ｆ２１２は、ＮＩＣ２３０側の拡張Ｉ／Ｆ２３２と接続され、ＮＩＣ２３０を介してＬＡＮ２で接続される外部装置（ＰＣ１０２）とのデータ通信を制御する。ＣＰＵ２３１は、ＮＩＣ２３０装置の制御プログラムを実行する。ＲＡＭ２３４は、ＣＰＵ２３１がＮＩＣ２３０装置を制御する際に、一時的なデータの格納などに使用される。ＲＯＭ２３３は、ＮＩＣ２３０の起動プログラムや各種設定値等が格納されている。
【００１８】
ＬＡＮＩ／Ｆ２３５は、ＬＡＮ２に接続され、ＮＩＣ２３０とＬＡＮ２で接続される外部装置（ＰＣ１０２）との間のデータ通信を制御する。一方、ＮＩＣ２３０側は、情報処理部２１０とは別のＣＰＵで動作している。ロジック判定部２３７は、リモートオン待機モード時にＬＡＮＩ／Ｆ２３５からのパケットと比較を行い、リモートオンパケットであった場合には出力ポート２３６より電源ＳＷ信号２２１に信号を送信する。
【００１９】
情報処理部２１０が省電力モードに移行した状態においてもＮＩＣ２３０、ＦＡＸ２７０の受信検知部２７５に対しては電力供給が継続される。ＮＩＣ２３０によって代理応答機能を実現する。ＦＡＸ２７０の受信検知部２７５によって、ＦＡＸ２７０受信を検知する。ＮＩＣ２３０の行う代理応答とはＳＮＭＰプロトコル等の管理系プロトコルに対して応答を自動で行い、省電力モードを維持し、印刷ジョブなど通常電力モードへの移行が必要な場合には電源制御部２１６へ通常電力モードへの移行命令を送信する。なお、電源制御部２１６は、ジョブ処理可能な通常状態と、当該通常状態よりも省電力状態となる第１省電力状態に遷移させるようにＦＡＸ２７０またはＮＩＣ２３０に対する電源供給を後述するように制御する。
【００２０】
省電力モードとリモートオン待機モードの違いについて説明する。
省電力モードは、ＰＣ１０２から印刷ジョブを受信した場合やＬＡＮ２を介して画像形成装置１０１に保存されるデータを読み出す場合などに通常電力モードに移行することが出来る状態である。
【００２１】
一方、本実施形態を示すリモートオン待機モードでは、ＰＣからの印刷ジョブの受信やＬＡＮ２を介して画像形成装置１０１に保存されるデータを読み出そうとしても、通常モードに復帰することが出来ない。しかし、リモートオンパケットを受信した場合には、起動処理が行われ、通常モードへ移行するモードである。
【００２２】
省電力モードとリモートオン待機モードの一番の違いは電源制御部２１６に給電があるかないかである。電源制御部２１６に給電がある場合は印刷ジョブなどでも通常モードへの復帰が出来るが、電源制御部２１６に給電がない場合には印刷ジョブなどで通行モードへの移行が出来ない。本発明はこのような省電力モードとリモートオン待機モードの両方でＦＡＸ２７０受信による起動または復帰すること可能としたものである。
【００２３】
以下、図２Ｂに示す省電力モード時、及び図２Ｃでリモートオン待機モード時における給電状態を説明する。
図２Ｂは、省電力モード時に給電される箇所を太い実線で示したものである。
図２Ｂにおいて、ＮＩＣ２３０ではロジック判定部２３７と出力ポート２３６以外に電源が給電されている。ＣＰＵ２３１を活かすことでＬＡＮ２を通じて受信した信号またはパケットに応じて復帰するか否かの判定を行うためである。出力ポート２３６とロジック判定部２３７はリモートオン待機時に使用するものであるため、給電の必要はなく、省電力のために給電していない。
【００２４】
図２Ｂに示す省電力モード時において、電源制御部２１６は、情報処理部２１０の外部Ｉ／Ｆ、拡張Ｉ／Ｆ２１２とＦＡＸＩ／Ｆ２２０のみ給電し、他のデバイスへは給電していない。これはＬＡＮ２やＦＡＸ２７０からのジョブによって省電力モードから復帰出来るようにするためである。この省電力モード時において、給電されている状態のＬＡＮ２やＦＡＸ２７０からジョブが受信した場合には、電源制御部２１６へ信号やパケットが送信されて電源制御部２１６が各部への給電を制御して復帰処理を実行する。
【００２５】
ＦＡＸ２７０では、ＦＡＸ２７０が受信したことを検知する受信検知部２７５のみに電源が給電されている。受信検知部２７５が受信を検知した場合には、情報処理部２１０の電源制御部２１６へ信号またはパケットが送信されて省電力モードからの復帰処理を行う。省電力モード時の電源給電はＬＡＮ２とＦＡＸ２７０からの復帰に必要な電源給電箇所の一例を示したものであり、本発明はこれに制限されるものではない。
【００２６】
図２Ｃは、リモートオン待機モード時に給電される箇所を太い実線で示したものである。
図２Ｃに示すリモートオン待機モード時は、図２Ｂに示した省電力モードと異なり、ＮＩＣ２３０の給電も削減される。ＮＩＣ２３０内で給電されるのは、ＲＯＭ２３３、ロジック判定部２３７、出力ポート２３６、ＬＡＮＩ／Ｆ２３５である。
【００２７】
ＲＯＭ２３３にはリモートオンパケットが記憶される。ロジック判定部２３７はＬＡＮＩ／Ｆ２３５が受信したパケットがＲＯＭ２３３に記憶されたパケットと同じか比較する。出力ポート２３６は、ロジック判定部２３７によって同じと判定された場合に、信号出力する。なお、消費電力は大きくなるが、ロジック判定部２３７ではなく、ＣＰＵ２３１を用いて受信したパケットがＲＯＭ２３３に記憶されたパケットと同じ否かの判定を行っても良い。出力ポート２３６からの信号は、電源２８０から電源が供給される電源ＳＷ信号２２１に送信され、電源制御部２１６への給電を開始して起動する。
【００２８】
情報処理部２１０は、電源ＳＷ信号２２１とＦＡＸＩ／Ｆ２２０にのみ電源が給電される。電源ＳＷ信号２２１は、リモートオンパケットを受信した旨を出力ポート２３６から受信した場合、またはＦＡＸ２７０の受信を検知した場合に、電源制御部２１６に給電を開始する。電源ＳＷ信号２２１は、画像形成装置を起動させるためのＳＷで、リレーや半導体ＳＷなどを用いて構成されるが、必要に応じては多段のＳＷを用いて構成してもよい。
ＦＡＸ２７０では、省電力モード時と同様、受信検知部２７５にのみ電源が給電される。この時に、受信検知部２７５がファクシミリの受信を検知した場合、電源制御部２１６ではなく、ＦＡＸＩ／Ｆ２２０が直接電源ＳＷ信号２２１に信号を送信する。
【００２９】
図３は、図２Ａに示したＦＡＸ２７０の構成を説明するブロック図である。本例は、ＦＡＸ２７０が受信時において、省電力モードからの復帰とリモートオン待機モードからの起動時の送信信号の切り替えを行う例である。なお、説明に不要な箇所の記載は省略している。なお、図３では、電源状態判定部３００をＦＡＸＩ／Ｆ２２０内に備える場合を示しているが、ＦＡＸ２７０側に持たせて判定結果を情報処理部２１０に送信する構成としても良い。なお、電源状態判定部３００の一例として、論理ゲート回路を用いた例を示すが、論理回路は本例に限定されるものではない。つまり、電源２８０から電源制御部２１６に対する電源供給状態と、ＦＡＸ２７０が検知するファクシミリの受信状態とから電源スイッチ２２１を起動する信号（起動信号３０１）、また電源制御部２１６へ電源供給を再開させる復帰信号（復帰信号３０２）を出力する。
図３において、３０１は起動信号で、ＦＡＸＩ／Ｆ２２０内のゲート回路からオアゲートを介して電源ＳＷ信号２２１へ出力される。ここで、起動信号３０１は、ＦＡＸＩ／Ｆ２２０内のゲート回路に入力される電源フラグ２８１とファクシミリの受信を検知する受信検知信号３０３との論理演算結果に基づいて生成される。
３０２は復帰信号で、ＦＡＸＩ／Ｆ２２０内のゲート回路から電源制御部２１６へ出力される。ここで、復帰信号３０２は、ＦＡＸＩ／Ｆ２２０内のゲート回路に入力される電源フラグ２８１とファクシミリの受信を検知する受信検知信号３０３との論理演算結果に基づいて生成される。なお、電源フラグ２８１は、電源制御部２１６により設定される。
【００３０】
図４は、本実施形態を示す画像形成装置の制御方法を説明するフローチャートである。本例は、リモートオン待機モードが設定された状態において、ＦＡＸ２７０がファクシミリを受信して、図５に示す通常モード電源４０１まで投入して起動する例である。なお、各ステップは、電源状態判定部３００が備える論理回路が実行することにより実現される。
なお、本実施形態において、画像形成装置が通常モードの場合には印刷やコピーなどのジョブを行うことが出来る。また、画像形成装置が省電力モードであった場合には復帰処理の後に同様の処理が可能である。画像形成装置がリモートオン待機モードでは、リモートオンパケットを受信した場合には起動することは言うまでもない。
【００３１】
Ｓ１００１では、電源状態判定部３００が電話回線１を介してＦＡＸ２７０がファクシミリ受信しているかどうかを判断する。したがって、ＦＡＸ２７０がファクシミリを受信するまでは待機状態が維持される。
Ｓ１００１で、ＦＡＸ２７０がファクシミリを受信したと電源状態判定部３００が判断した場合、Ｓ１００２に移行する。Ｓ１００２では、電源状態判定部３００が現在の待機モードがリモートオン待機モードであるかを判断する。ここで、リモートオン待機モードであると電源状態判定部３００が判断した場合、Ｓ１００３に移行し、リモートオン待機モードではないと判断した場合、Ｓ１００５に移行する。
ここで、リモートオン待機モードか否かの判定は、図３に示す電源フラグ２８１を使用する。これは電源制御部２１６に電源が給電されている状態では、電源制御部２１６は、電源フラグ２８１を「Ｈｉｇｈ」に設定し、給電されていない状態では、電源制御部２１６は、電源フラグ２８１を「Ｌｏｗ」に設定する。電源制御部２１６に給電されているか否かについて判断できる論理であれば、電源フラグ２８１に対する「Ｈｉｇｈ」，「Ｌｏｗ」のいずれの論理を「正」としても良い。
Ｓ１００２では、電源フラグ２８１から電源制御部２１６に給電されていないリモートオン待機モードと電源状態判定部３００が判断した場合、ＦＡＸＩ／Ｆ２２０より起動信号３０１を電源ＳＷ信号２２１に対して起動信号２２１ａを送信して電源２８０を投入する。
この時、受信検知信号３０３が短く、電源が立ち上がらない可能性がある場合には、図示しないラッチ回路等を間に入れて受信検知信号３０３のレベルを一定時間保持するようにしても良い。
このように電源フラグ２８１を用いて電源ＳＷ信号２２１のみに起動信号３０１をゲート回路に送信することで、給電されていない電源制御部２１６に復帰信号３０２が送信されてしまうことを防ぐことが出来る。
電源ＳＷ信号２２１は、電源制御部２１６に給電されている場合またはリモートオンパケットをＬＡＮ２から受信した場合、またはＦＡＸ２７０がファクシミリの受信を検知した場合のいずれかの条件でＯＮする構成を示している。電源フラグ２８１を用いるのは電源が入っている状態で電源ＳＷ信号２２１がオフされることを防ぐためである。
【００３２】
Ｓ１００３で、電源ＳＷ信号２２１がＯＮ状態に遷移して電源が投入された後に、Ｓ１００４で画像形成装置の起動処理を行い、Ｓ１００７に移行する。Ｓ１００７では、ＦＡＸ２７０からファクシミリ受信のため、回線を補足する処理を行う。その後、Ｓ１００８に移行して、ファクシミリの受信処理を開始する。この時、受信したＦＡＸ２７０からのデータは紙に印刷して出力しても良いし、ストレージ２１５にデータを保存しても良い。ストレージ２１５に保存されたデータはリモートオンパケットを受信して起動した場合または、電源ＳＷ信号２２１から直接電源を投入された場合に印刷するようにしても良い。ストレージ２１５に保存したものを紙に印刷せずに、ユーザに通知してデータ保存するだけでももちろん良い。
【００３３】
Ｓ１００９で、ＦＡＸ２７０がファクシミリの受信処理を終了した場合、Ｓ１０１０に移行して、ＦＡＸ２７０が電話回線１を解放する。最後に、Ｓ１０１１で、受信前の電力状態へ移行させ、本処理を終了する。
なお、受信前の電力状態が、例えばリモートオン待機モードであれば、シャットダウン処理を行い、省電力モードであれば省電力モードへ移行する。なお、シャットダウン処理でリモートオン待機モードへ移行することを示す。
ここで電力状態を受信前に移行させるのは、例えば、リモートオン待機モードであった場合には、画像形成装置を管理するユーザからの指示での起動ではない可能性があるため、指示があるまで使用されないことが十分に考えられる。
そのため、リモートオン待機モードへ自動で移行することを示したが、シャットダウン処理はしなくても良いが、消費電力の観点からシャットダウン処理を行うことが好ましい。
同様に省電力モードであった場合にも、画像形成装置を管理しているユーザからのジョブを設定時間受信していないことを示すため、消費電力の観点から省電力モードへ移行することが好ましい。
【００３４】
一方、Ｓ１００５では、電源状態判定部３００が省電力モードであるか判定を行う。この判定は、電源フラグ２８１を複数持たせて、通常モードか省電力モードか判定を行っても良いし、電源制御部２１６で判定を行っても良い。この場合、電源制御部２１６には電源２８０が供給されているため、復帰信号３０２が送信されても問題はない。
ここで、省電力モードであると電源状態判定部３００が判断した場合にはＳ１００６へ移行して、省電力モードから通常モードへの復帰処理を行う。Ｓ１００６では、電源状態判定部３００が復帰処理を実行した後、Ｓ１００７へ移行して、以下Ｓ１００７以降の処理を行う。
一方、Ｓ１００５で、省電力モードではないと電源状態判定部３００が判断した場合には、通常モードであるため、Ｓ１００７に移行して同様の処理を行う。
【００３５】
以下、本実施形態を示す画像形成装置がリモートオン待機モードの時のシーケンス例と、省電力モードからの復帰の時のシーケンス例について図５を参照して説明する。
図５は、本実施形態を示す画像形成装置のシーケンス例を示す図である。
図５の（ａ）はリモートオン待機モードの時のシーケンス例に対応する。
リモートオン待機モード時に給電される電源は常にＨｉｇｈ（給電されている状態）であるので記載しない。最初は信号出力もなく、給電も通常モード電源４０１、省電力モード電源４００共にされていない。次に、ＦＡＸ２７０がファクシミリ受信を検知した場合に、リモートオン待機モードであるため、タイミングＴ１で起動信号３０１が「Ｈｉｇｈ」状態に遷移する。
また、起動信号３０１が「Ｈｉｇｈ」になったことで、タイミングＴ２で電源ＳＷ信号２２１に入力される信号が、次に「Ｈｉｇｈ」に遷移する。電源ＳＷ信号２２１がオンされたことで、タイミングＴ３において、通常モード電源４０１と省電力モード電源４００が「Ｈｉｇｈ」に遷移し、起動処理を行う。そして、タイミングＴ４で、電源フラグ２８１が「Ｈｉｇｈ」になり、最後に、タイミングＴ５で、電源制御部２１６に出力される復帰信号３０２が「Ｈｉｇｈ」に遷移する。ここでは、通常モードまで電源が投入されているため、電源制御部２１６への出力はあっても無くても良い。
【００３６】
次に、図５の（ｂ）は、省電力モードからの復帰の時のシーケンス例に対応する。
最初の状態（タイミングＴ１１）では、電源ＳＷ信号２２１に入力されるため、電源制御部２１６に給電され、「Ｈｉｇｈ」に遷移した状態である。また、省電力モード電源４００は、タイミング「Ｈｉｇｈ」状態で電源フラグ２８１も「Ｈｉｇｈ」状態に遷移している。
ＦＡＸ２７０がファクシミリ受信を検知した場合には、電源フラグ２８１が「Ｈｉｇｈ」状態に遷移している。このため、タイミングＴ１１で電源制御部２１６へ復帰信号３０２を送信して、通常モード電源４０１を投入し、画像形成装置の復帰処理を行う。このように、電源状態の判定を行い、信号出力を行うことで、リモートオン待機モード、省電力状態の両方で電源起動が可能となる。
〔第２実施形態〕
【００３７】
図６は、本実施形態を示す画像形成装置の構成を説明するブロック図である。本例は、ＦＡＸ２７０がファクシミリの受信時に省電力モードからの復帰と、リモートオン待機モードからの起動時の送信信号の切り替えを行う例である。
図６において、４００は省電力モード電源である。４０１は通常モード電源である。
なお、各信号、電源状態は、後述する図５の（ａ）、図５の（ｂ）に示すシーケンス例の信号に対応している。具体的には、起動信号３０１はＦＡＸ２７０の受信を検知した場合に電源ＳＷ信号２２１に出力される。
電源ＳＷ信号２２１は、所定のゲート回路を介して電源ＳＷ信号２２１に入力される。通常モード電源４０１は、通常モード時に使用される電源である。４００は省電力モード電源で、省電力モードにも給電される電源である。
電源フラグ２８１は、電源制御部２１６から出力されるフラグである。復帰信号３０２は、ＦＡＸ２７０がファクシミリ受信を検知した場合に電源制御部２１６に出力される。
図７は、本実施形態を示す画像形成装置の制御方法を説明するフローチャートである。本例は、省電力モード電源４００まで供給して、その後電源制御部２１６に復帰信号３０２を送信して復帰処理を行う例である。なお、各ステップは、電源状態判定部３００が備える論理回路が実行することにより実現される。以下、第１実施形態との差異を説明する。なお、Ｓ１００１，１００２は図４と同等の処理を示す。Ｓ１００５〜１０１１は図４と同等の処理を示す。
【００３８】
Ｓ１００２で、電源状態判定部３００がリモート待機状態であると判定された場合にはＳ２００１に移行する。Ｓ２００１で、電源状態判定部３００が省電力電源ＳＷ２２２の電源２８０をオンにする。次に、Ｓ１００６へ移行する。Ｓ１００６に移行すると、電源状態判定部３００が電源制御部２１６へ復帰信号３０２を送信して復帰処理を行う。
【００３９】
Ｓ１００６では、省電力モードから通常モードへ移行する場合と同等の処理となるため、図７で示すＳ１００５で省電力モードであると判定された場合とも同等の処理となる。
【００４０】
図８は、本実施形態を示す画像形成装置の電源制御シーケンス例を示すタイミングチャートである。
図８において、リモートオン待機モード時にＦＡＸ２７０受信を検知した場合の起動処理シーケンスを示す。なお、本実施形態においても省電力モードから復帰する場合は、第１実施形態と同一シーケンスになるため、省略する。
【００４１】
最初は信号出力もなく、給電も通常モード電源４０１、省電力モード電源４００共にされていない。次に、ＦＡＸ２７０がファクシミリの受信を検知した場合に、リモートオン待機モードであるため、タイミングＴ１で、起動信号３０１の信号が「Ｈｉｇｈ」状態に遷移する。起動信号３０１の信号が「Ｈｉｇｈ」状態に遷移したことで、タイミングＴ２で、電源ＳＷ２２２に入力される信号が「Ｈｉｇｈ」状態に遷移する。
電源ＳＷ２２２がオンされたことで、タイミングＴ３で、省電力モード電源４００が「Ｈｉｇｈ」状態に遷移し、省電力モードへの移行処理を行う。そして、タイミングＴ４で、電源フラグ２８１が「Ｈｉｇｈ」状態に遷移する。電源フラグ２８１が「Ｈｉｇｈ」状態に遷移することで、ＦＡＸ２７０がファクシミリの受信を検知したことを示す受信検知信号３０３の出力先が省電力電源ＳＷ２２２から電源制御部２１６へ変更される。
【００４２】
しかしタイミングＴ５で、電源ＳＷ２２２への入力は電源フラグ２８１が「Ｈｉｇｈ」状態に遷移したことで、「Ｈｉｇｈ」状態を保持するため、電源制御部２１６への給電は保持される。
そして、ＦＡＸ２７０の復帰信号３０２が電源制御部２１６へ出力されることで電源制御部２１６が通常電力電源ＳＷ２２３にＯＮにして、タイミングＴ６で、通常モード電源４０１の給電が開始されて、画像形成装置の復帰処理を行う。
【００４３】
このように省電力モード電源４００まで供給して電源制御部２１６に復帰信号３０２を送信して復帰処理を行うことも出来る。
これは通常電力電源ＳＷ２２３の切り替えに電流が多く必要な場合に、より多くの電源を活かすことで起動出来るようにすることが可能となる。
〔第３実施形態〕
【００４４】
第１実施形態ではリモートオン待機モードでＦＡＸ２７０がファクシミリの受信を検知した場合、通常モード電源４０１まで投入して起動する方法について説明した。本実施形態では、ＦＡＸ２７０の電源をリモートオン待機モードと省電力モード電源４００で切り替えを行い、リモートオン待機モードでも起動する例を説明する。
【００４５】
図９は、本実施形態を示す画像形成装置の構成を説明するブロック図である。本例は、省電力モードとリモートオン待機モードでＦＡＸ２７０の供給電源の切り替えを行い、且つＦＡＸ２７０がファクシミリの受信を検知した時に省電力モードからの復帰とリモートオン待機モードからの起動時の送信信号の切り替えを行う例である。本実施形態では、電源制御部２１６に供給される電源が停止するか否かに応じて、供給を受ける電源供給先を電池４０２に切り替える例を説明する。
なお、ＦＡＸ２７０受信検知の処理フローは第１、第２実施形態同等となるため割愛する。
【００４６】
図９に示すように、情報処理部２１０は電源モードが省電力モードであるかを判断して、スイッチＳＷ９０１を切り替える。具体的には、電源モードが省電力モードであると判断した場合は、ＦＡＸ２７０の受信検知部２７５の電源給電を省電力モード電源４００とするようにスイッチＳＷ９０１を制御する。また、電源モードが電力オフモードであると判断した場合、ＦＡＸ２７０の受信検知部２７５の電源給電を電池４０２とするようにスイッチＳＷ９０１を制御する。なお、スイッチＳＷ９０１は、電源フラグ２８１を用いてスイッチＳＷ９０１の切り替えを行う。これにより、リモートオン待機モードでは情報処理部２１０からＦＡＸ２７０に電源を給電させずに済み、省電力効果を高めることができる。維持
【００４７】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００４８】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００４９】
１０１  画像形成装置
１０２，１０３  ＰＣ
１０４  ＦＡＸ
【図１】
2014225821.tif 000003
【図２Ａ】
2014225821.tif 000004
【図２Ｂ】
2014225821.tif 000005
【図２Ｃ】
2014225821.tif 000006
【図３】
2014225821.tif 000007
【図４】
2014225821.tif 000008
【図５】
2014225821.tif 000009
【図６】
2014225821.tif 000010
【図７】
2014225821.tif 000011
【図８】
2014225821.tif 000012
【図９】
2014225821.tif 000013